(57)【要約】【課題】  生体計測装置においては計測結果又は処理した結果を連続して表示するので、ノイズその他の原因で真の値から外れてもそのデータを表示した。このため、エラーの度合いが低いと生理学的情報だと誤解してしまうという問題点があった。このようなエラーを自動的に除去し、信憑性のあるデータを提供することが目的である。【解決手段】  複数の情報を含んだ体動信号を検出し、個々の信号を識別して表示する装置において、周期性信号に対して、周期又は単位時間あたりの頻度を数え、個々の信号ごとに設定する生理学的に妥当な数値を超えた値を計数したときは無視する機能をもつ処理部を具備している。さらに、周期性信号の頻度を数え、所定回数たとえば５回の数値を用いて平均の頻度を算出する際に最大値と最小値を除いて計数する機能をもつ処理部を具備している。【選択図】    図２
2006297004.tif 000002
【特許請求の範囲】
【請求項１】
複数の情報を含んだ体動信号を検出し、個々の信号を識別して表示する装置において、周期性信号に対して、周期又は単位時間あたりの頻度を数え、個々の信号ごとに設定する生理学的に妥当な数値を超えた値を計数したときは無視する機能をもつ体動信号計測装置。
【請求項２】
周期性信号に対して、周期又は単位時間あたりの頻度を数え、所定回数たとえば５回の数値を用いて平均の頻度を算出する際に最大値と最小値を除いて計数する機能をもつ請求項１記載の体動信号計測装置。
【発明の詳細な説明】
【技術分野】
【０００１】  本発明は複数の生体情報を含んだ体動信号を検出して個々の信号を識別して表示する生体計測装置に関する。
【背景技術】
【０００２】  従来の生体計測装置においては生体から得た個々の信号を基に数値化して呼吸数、心拍数等を連続して表示するものがある。
【発明の開示】
【発明が解決しようとする課題】
【０００３】  従来の生体計測装置においては計測結果又は処理した結果を連続して表示することに主眼が置かれていたので、ノイズその他の原因で真の値から外れてもそのデータを計数し表示した。このため、明らかに不正確であるという場合は人の判断でエラーだと認識しているが、エラーであってもその度合いが低いと生理学的情報だと誤解してしまうという問題点があった。
【課題を解決するための手段】
【０００４】  複数の情報を含んだ体動信号を検出し、個々の信号を識別して表示する装置において、周期性信号に対して、周期又は単位時間あたりの頻度を数え、個々の信号ごとに設定する生理学的に妥当な数値を超えた値を計数したときは無視する機能をもつ処理部を具備している。【０００５】  周期性信号に対して、周期又は単位時間あたりの頻度を数え、所定回数たとえば５回の数値を用いて平均の頻度を算出する際に最大値と最小値を除いて計数する機能をもつ処理部を具備している。
【発明の効果】
【０００６】  本発明は以上説明したような形態で実施し、算出結果が何らかの原因で事実とは異なる情報になった際は、連続した表示を停止することで表示しないようにする。このようにすることで、誤った情報で連続して表示するよりもたとえ一瞬間途切れても正確な情報を表示することが可能になる。具体的な効果を次に示す。【０００７】  数値列各要素の中に非生理学的数値がたとえば１個含まれている場合、単なる平均値では非生理的数値であることが容易にはわからない。しかし、生理学的数値範囲のチェック手段４１を設けることにより、各要素たとえば７個の数値に対しすべてチェックをかけるので、算出した平均値の信憑性を格段に向上させることができる。【０００８】  さらに、非生理的数値が含まれる場合は表示しないので誤った情報を表示することはなく、信憑性の高い結果を得ているときだけ表示するので、その後の解釈や信号処理を正確にする。【０００９】  表示しない状態がある時間継続することは対象者が不在か、異常時を意味するので警報が出る。したがって、常時付き添いがなくても非常時には通報を得ることができる。【００１０】  数値列がたとえ生理学的数値範囲内に収まっていた場合でも、たとえば７個のうち１個程度は装置上の都合、セッティングの都合等により他の数値とはかけ離れた数値を出すことがある。この場合平均値を採るとこのようなかけ離れた数値がデータの信憑性を低下させる。そこで、本発明では最大最小を除去する手段４５を設けることにより、このような１個だけ極端にかけ離れた数値が合った場合でも除去することができるのでデータの信憑性を格段に向上させることができる。
【発明を実施するための最良の形態】
【００１１】  本発明の体動信号計測装置では、複数の情報を含んだ体動信号を検出し、個々の信号を識別して表示する装置において、周期性信号に対して、周期又は単位時間あたりの頻度を数え、個々の信号ごとに設定する生理学的に妥当な数値を超えた値を計数したときは無視する手段を設ける。【００１２】  上記の生理学的に妥当な数値を超えた値を計数したときは無視する手段は、たとえば心臓の拍動に由来する体動信号成分について高い数値では１８０を超えることはないので１８０を超えると無視する判断部である。【００１３】  上記の判断部で低い数値については３０より下がることはないので３０以下になれば無視する。【００１４】  生体計測用の装置が周期的信号を計測する手段をもつ場合は一般にはたとえば５回の数値の移動平均処理を施して算出した値を表示する手段を採っている。本発明では上記所定の値を超えて無視することが５回中１回以上あれば平均値を表示しないようにする。【００１５】  上記のように平均処理をする手段では、連続して５回妥当な範囲内数値を繰り返せば表示するようにする。【００１６】  また、５回の平均を採る際に極端に不適切な値を含むことがあり得るのでこれを避けるため最大値と最小値を除き、妥当な範囲３回分の移動平均を採る手段を設けてもよい。【００１７】  上記のように最大値と最小値を除く場合は移動平均処理数を増やしてよい。たとえば、７回分の数値から最大値と最小値を除き、残りの５回分の平均を採る手段を設けてもよい。【００１８】  上記のように構成した装置を稼動すると、複数の情報を含んだ体動信号を検出し、個々の信号を識別して表示するときに、周期性信号に対して、周期又は単位時間あたりの頻度を数え、個々の信号ごとに設定する生理学的に妥当な数値を超えた値を計数したときは無視するようにはたらくか、最大値と最小値を無視するようにはたらくか、設定するので生理学的に妥当な数値やグラフを得ることができる。
【実施例】
【００１９】  実施例について図面を参照して説明する。図１において、生体情報検出部１は複数の情報を含む体動情報を検出し、次の体動情報処理部２に送る。体動情報処理部２は複数の信号に分けるためｎチャンネルに分岐して各情報を抽出する。数値検出部３では各チャンネルに特徴を意味する数値を算出する。計数処理部４は本発明であって、数値が妥当な範囲であれば表示部５に表示し、不自然な値であれば表示しないようにする手段である。かつ、計数処理部４は不自然な値のまま一定時間経過した場合は警報を発する手段を具備する。【００２０】  図１に示した実施例において体動情報処理部２はたとえばスペクトル分析、ピーク検出、周期検出等の手法を基本として構成し各チャンネルが担当する成分を検出する。【００２１】  図１に示した実施例において数値検出部３は各チャンネルに時系列に入ってくる数値列を周知の移動平均の手法で平均値を順次算出する。たとえばｃｈ１の呼吸由来体動であれば周期性信号が１分当たり約６〜１５回程度である旨の数値を数秒おきに算出する。ｃｈ２の心拍由来体動であれば周期性信号が１分当たり約６０回程度である旨の数値をほぼ１秒ごとに算出する。【００２２】  図２に示した実施例は、計数処理部４の一つのチャンネルについて詳細実施例を示す。数値算出部３から数値列を受け取ると、生理学的数値範囲のチェック手段４１によりチェックし、この範囲内であればｙｅｓの方へ送り、範囲外であればｎｏの方へ送る。【００２３】  ｙｅｓの方へ送った信号に対しては移動平均処理部４２により平均値を順次算出し表示部５へ送る。【００２４】  ｎｏの方へ送った信号に対しては表示除去処理部４３により表示しないようする。【００２５】  ｎｏの方へ送った信号に対しては表示除去処理部４３が動作して、ある一定時間継続する場合は警報部４４により警報を発する。【００２６】  図３は図２で説明した計数処理部４に最大最小を除去する手段４５を組み込んだ実施例である。この例のように、最大最小を除去する手段４５の後段は生理学的数値範囲のチェック手段４１を経由させるか否かについて選択できるようにした。
【図面の簡単な説明】
【００２７】
【図１】  本発明の計数処理部を含めた体動信号計測装置である。
【図２】  本発明の計数処理部４の詳細な実施例で、生理学的数値範囲のチェック手段４１を設けた図である。
【図３】  本発明の計数処理部４の詳細な実施例で、生理学的数値範囲のチェック手段４１と併せて、最大最小を除去する手段４５を設けた図である。
【符号の説明】
【００２８】  １  生体情報検出部
２  体動処理部
３  数値検出部
４  計数処理部
５  表示部
４１  生理学的数値範囲のチェック手段
４２  移動平均処理部
４３  表示除去処理部
４４  警報部
【図１】
2006297004.tif 000003
【図２】
2006297004.tif 000004
【図３】
2006297004.tif 000005